【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
画像データに基づき用紙上に画像形成を行う画像形成手段と、
画像形成された用紙に対してその一部を裁断または折るための処理を施す処理手段と、
画像形成された複数枚の用紙が束ねられた１つの用紙束を複数のグループに区分けするクループ区分け手段と、
前記区分けされたグループ毎に、前記処理手段により用紙に処理が施される領域を変えるように制御する制御手段と
を備えることを特徴とする画像形成装置。
【請求項２】
前記制御手段は、前記区分けされたグループ毎にそれに含まれる用紙における前記処理手段により処理が施される領域の大きさを変えるように制御することを特徴とする請求項１記載の画像形成装置。
【請求項３】
前記制御手段は、前記区分けされた各グループに対して、先頭のグループから順に、前記処理手段により処理が施される領域の大きさを段階的に変え、最終のグループの用紙に対しては、前記処理手段により処理が施されないように制御することを特徴とする請求項２記載の画像形成装置。
【請求項４】
大きさを段階的に変える領域の数の最大数を設定する最大数設定手段を備え、
前記制御手段は、前記区分けされたグループの数が前記最大数以下の場合、前記区分けされた各グループに対して、先頭のグループから順に、前記処理手段により処理が施される領域の大きさを段階的に変え、最終のグループの用紙に対しては、前記処理手段により処理が施されないように制御し、前記区分けされたグループの数が前記最大数を超える場合、前記区分けされた各グループに対して、先頭のグループから順に、各グループにおける前記処理手段により処理が施される領域の大きさを段階的に変え、前記最大数に該当するグループの用紙に対しては、前記処理手段により処理が施されないように制御し、前記最大数に該当するグループ以降に続くグループに対しては、前記先頭のグループから前記最大数の該当するグループまでに対する制御と同じ制御を繰り返し行うことを特徴とする請求項２記載の画像形成装置。
【請求項５】
前記制御手段は、前記区分けされたグループ毎に、前記処理手段により用紙に処理が施される領域の位置を変えるように制御することを特徴とする請求項１記載の画像形成装置。
【請求項６】
前記用紙束内のグループに関する付加情報を印字するか否かを設定する付加情報印字設定手段と、
前記用紙束内のグループの付加情報を印字することが設定されると、前記区分けされたグループ毎の先頭ページに該当する用紙に対してそのグループの付加情報を印字する印字手段と
を備えることを特徴とする請求項１記載の画像形成装置。
【請求項７】
前記処理手段により処理が施されるべき用紙に形成される画像の画像領域のサイズに基づいて、画像データを変倍する画像処理手段を備え、
前記画像形成手段は、前記変倍された画像データに基づいて用紙上に画像形成を行うことを特徴とする請求項１記載の画像形成装置。
【請求項８】
前記制御手段は、前記グループの区切りページに該当する用紙に対して前記処理手段により処理を施さずに、前記グループの区切りページに該当しない用紙に対して前記処理手段により処理を施すように制御することを特徴とする請求項１記載の画像形成装置。
【請求項９】
前記制御手段は、前記グループの区切りページに該当する用紙に対して前記処理手段により処理を施し、前記グループの区切りページに該当しない用紙に対して前記処理手段により処理を施さないように制御することを特徴とする請求項１記載の画像形成装置。
【請求項１０】
前記制御手段は、前記用紙束の先頭用紙に対して前記処理手段により処理を施さないように制御することを特徴とする請求項９記載の画像形成装置。
【請求項１１】
前記処理手段は、画像形成された用紙の一辺部分または一角を折る折り処理を行う手段であり、
前記制御手段は、両面に画像形成された用紙に対して前記処理手段による折り処理を施す場合、前記処理手段により前記用紙の一辺部分または一角をグループの区切りページに該当する面側へ向けて折るように制御することを特徴とする請求項１記載の画像形成装置。
【請求項１２】
画像データに基づき用紙上に画像形成を行う画像形成手段と、画像形成された用紙に対してその一部を裁断または折るための処理を施す処理手段とを備える画像形成装置の制御方法であって、
画像形成された複数枚の用紙が束ねられた１つの用紙束を複数のグループに区分けするグループ区分け工程と、
前記区分けされたグループ毎に前記処理手段により用紙に処理が施される領域を変えるように制御する制御工程と
を有することを特徴とする画像形成装置の制御方法。
【手続補正２】
【補正対象書類名】明細書
【補正対象項目名】発明の名称
【補正方法】変更
【補正の内容】
【発明の名称】画像形成装置およびその制御方法
【手続補正３】
【補正対象書類名】明細書
【補正対象項目名】０００１
【補正方法】変更
【補正の内容】
【０００１】
本発明は、複写機、レーザビームプリンタなどの画像形成装置およびその制御方法に関する。
【手続補正４】
【補正対象書類名】明細書
【補正対象項目名】０００８
【補正方法】変更
【補正の内容】
【０００８】
本発明の目的は、合紙や章紙として用いられる色紙、既製のタブシート、タブシートを作成するためのシートなどの特殊なシートを用いることなく、１つの用紙束内のグループ分けを行うことができる画像形成装置およびその制御方法を提供することにある。
【手続補正５】
【補正対象書類名】明細書
【補正対象項目名】０００９
【補正方法】変更
【補正の内容】
【０００９】
本発明は、上記目的を達成するため、画像データに基づき用紙上に画像形成を行う画像形成手段と、画像形成された用紙に対してその一部を裁断または折るための処理を施す処理手段と、画像形成された複数枚の用紙が束ねられた１つの用紙束を複数のグループに区分けするクループ区分け手段と、前記区分けされたグループ毎に、前記処理手段により用紙に処理が施される領域を変えるように制御する制御手段とを備えることを特徴とする画像形成装置を提供する。
【手続補正６】
【補正対象書類名】明細書
【補正対象項目名】００１０
【補正方法】変更
【補正の内容】
【００１０】
本発明は、上記目的を達成するため、画像データに基づき用紙上に画像形成を行う画像形成手段と、画像形成された用紙に対してその一部を裁断または折るための処理を施す処理手段とを備える画像形成装置の制御方法であって、画像形成された複数枚の用紙が束ねられた１つの用紙束を複数のグループに区分けするグループ区分け工程と、前記区分けされたグループ毎に前記処理手段により用紙に処理が施される領域を変えるように制御する制御工程とを有することを特徴とする画像形成装置の制御方法を提供する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】